(57)【要約】【課題】最も効率良く、また、コストを考えながらクリーンに製品を洗浄できるエレクトロニクス製品の製造方法及びそれに用いる洗浄装置を提供する。【解決手段】長尺状のエレクトロニクス製品の洗浄装置において、洗浄水を蓄え、水平方向に回転するドラムを有する洗浄槽と、前記洗浄槽内部に少なくとも１のローラが設置される、長尺状のエレクトロニクス製品を搬送する複数のローラを具備する。なお、洗浄槽のドラムが正逆回転して攪拌すること、洗浄槽のドラムに洗浄水の排出穴が設けられていること、洗浄槽から出たエレクトロニクス製品にすすぎ用の洗浄液を噴出するスプレーノズルを有することも含まれる。【選択図】図１
2004267891.tif 000002
【特許請求の範囲】
【請求項１】
長尺状のエレクトロニクス製品の洗浄装置において、洗浄水を蓄え、水平方向に回転するドラムを有する洗浄槽と、前記洗浄槽内部に少なくとも１のローラが設置される、長尺状のエレクトロニクス製品を搬送する複数のローラを具備することを特徴とするエレクトロニクス製品の洗浄装置。
【請求項２】
前記洗浄槽のドラムが正逆回転することを特徴とする請求項１記載のエレクトロニクス製品の洗浄装置。
【請求項３】
前記洗浄槽のドラムに洗浄水の排出穴が設けられていることを特徴とする請求項１または２記載のエレクトロニクス製品の洗浄装置。
【請求項４】
前記洗浄槽から出たエレクトロニクス製品にすすぎ用の洗浄液を噴出するスプレーノズルを有することを特徴とする請求項１〜３の何れか１に記載のエレクトロニクス製品の洗浄装置。
【請求項５】
長尺状のエレクトロニクス製品の製造方法において、長尺状のエレクトロニクス製品を搬送しながら、洗浄水を蓄え、水平方向に回転するドラムを有する洗浄槽を通過させることによる洗浄工程を具備することを特徴とするエレクトロニクス製品の製造方法。
【発明の詳細な説明】
【０００１】
【発明の属する技術分野】
本発明はエッチング、メッキ等の塩濃度の高い薬液を用いる工程を有するエレクトロニクス製品の製造方法及びそれに用いる洗浄装置に関する。
【０００２】
【従来の技術】
金属からなり、長尺の形状を有するエレクトロニクス製品の洗浄を行う際には、一般的にスプレーノズルから受けた洗浄水を槽に溜め、洗浄する方法が行われている。しかし、この方法では製品を洗浄した後の汚染された水が槽内に溜まり、うまく循環しないためクリーンな状態に洗浄し難いという問題があった。また、槽に溜まった洗浄水の循環はオーバーフローによって行われている（特許文献１参照）。しかし、この方法では製品を洗浄した後の汚染された水が槽内に溜まり、うまく循環しないためクリーンに製品を洗浄し難いという問題があった。
【０００３】
一方、洗浄水を多量に使用すれば、大量の廃水が出て、それを処理するためにコストがかかり環境にも良くない。このため、製品を最も効率良くまた、コストを考えながらクリーンに製品を洗浄できる製造方法、装置が強く要望されている。
【０００４】
【特許文献１】
特許第２９４８９９４号公報
【０００５】
【発明が解決しようとする課題】
本発明は上記の問題を解決して最も効率良く、また、コストを考えながらクリーンに製品を洗浄できるエレクトロニクス製品の製造方法及びそれに用いる洗浄装置を提供するものである。
【０００６】
【課題を解決するための手段】
請求項１に記載の発明は、長尺状のエレクトロニクス製品の洗浄装置において、洗浄水を蓄え、水平方向に回転するドラムを有する洗浄槽と、前記洗浄槽内部に少なくとも１のローラが設置される、長尺状のエレクトロニクス製品を搬送する複数のローラを具備することを特徴とするエレクトロニクス製品の洗浄装置である。
請求項２に記載の発明は、前記洗浄槽のドラムが正逆回転することを特徴とする請求項１記載のエレクトロニクス製品の洗浄装置である。
請求項３に記載の発明は、前記洗浄槽のドラムに洗浄水の排出穴が設けられていることを特徴とする請求項１または２記載のエレクトロニクス製品の洗浄装置である。
請求項４に記載の発明は、前記洗浄槽から出たエレクトロニクス製品にすすぎ用の洗浄液を噴出するスプレーノズルを有することを特徴とする請求項１〜３の何れか１に記載のエレクトロニクス製品の洗浄装置である。
請求項５に記載の発明は、長尺状のエレクトロニクス製品の製造方法において、長尺状のエレクトロニクス製品を搬送しながら、洗浄水を蓄え、水平方向に回転するドラムを有する洗浄槽を通過させることによる洗浄工程を具備することを特徴とするエレクトロニクス製品の製造方法である。
【０００７】
【発明の実施の形態】
以下、本発明に係わるエレクトロニクス製品の洗浄装置を、図１を参照して詳細に説明する。洗浄装置は、洗浄水４を蓄え、水平方向に回転するドラム３を有する洗浄槽を有する。なお、ドラムは図示しないモータにより正逆に回転する。また、長尺のエレクトロニクス製品１は、図面左から右へ複数のローラ２により搬送される途中で、洗浄槽内部に設置されている２本のローラ２を経由する。
【０００８】
ここで洗浄水には、通常、純水又は回収した純水を用いる。その洗浄水がドラムの正逆回転により、絶えずエレクトロニクス製品の表面に供給されるため、表面を洗浄することができる。なお、洗浄に供された洗浄水は、ドラムをオーバーフローさせることにより除去することも可能であるが、洗浄槽のドラムに洗浄水の排出穴（図示せず）を設けておくことにより、効率的に除去することができ、汚染された水が槽中に溜まることがなくなる。
【０００９】
また、洗浄槽から出たエレクトロニクス製品に対し、すすぎ用の洗浄液をスプレーノズル５から噴出することにより、洗浄を更に完全なものとすることができる。
【００１０】
前記洗浄装置を用いることにより、長尺状のエレクトロニクス製品を搬送しながら、洗浄水を蓄え、水平方向に回転するドラムを有する洗浄槽を通過させることによる洗浄工程を行うことができる。
【００１１】
【実施例】
（実施例１）
表面に１００ｎｇ／ｃｍ２の塩素イオンが付着した幅１ｍ、厚さ１ｍｍの鉄製基材を用意した。これを電気伝導度１ｎｓ／ｍｍの純水を水量１００Ｌ／ｍｉｎにて供給しながら、正逆回転するドラムを設けた槽に洗浄水を溜めて洗浄を行った。洗浄の終わったサンプルを超純水にて１００℃３０分抽出し、サンプル表面に残る塩素イオン量を測定したところ塩素イオン量は４ｎｇ／ｃｍ２であった。この洗浄後、基材を温度４０℃湿度９０％の環境下で４８時間放置して、表面を顕微鏡にて観察したところ特に汚れは見られなかった。
【００１２】
（実施例２）
表面に１００ｎｇ／ｃｍ２の塩素イオンが付着した幅１ｍ、厚さ１ｍｍの鉄製基材を用意した。これを電気伝導度１ｎｓ／ｍｍの純水を水量１００Ｌ／ｍｉｎにて供給しながら、正逆回転するドラムを設けた槽に洗浄水を溜めて洗浄を行った。ドラムには上から下まで穴があいており、オーバーフローする洗浄水はドラム全体から行われるようにした。洗浄の終わったサンプルを超純水にて１００℃３０分抽出し、サンプル表面に残る塩素イオン量を測定したところ塩素イオン量は２ｎｇ／ｃｍ２であった。この洗浄後、基材を温度４０℃湿度９０％の環境下で４８時間放置して、表面を顕微鏡にて観察したところ特に汚れは見られなかった。
【００１３】
（実施例３）
表面に１００ｎｇ／ｃｍ２の塩素イオンが付着した幅１ｍ、厚さ１ｍｍの鉄製基材を用意した。これを電気伝導度１ｎＳ／ｍｍの純水を水量１００Ｌ／ｍｉｎにてスプレーノズルから噴霧洗浄しながら、正逆回転するドラムを設けた槽に洗浄水を溜めて洗浄を行った。ドラムには上から下まで穴があいており、オーバーフローする洗浄水はドラム全体から行われるようにした。洗浄の終わったサンプルを超純水にて１００℃３０分抽出し、サンプル表面に残る塩素イオン量を測定したところ塩素イオン量は１ｎｇ／ｃｍ２以下であった。この洗浄後、基材を温度４０℃湿度９０％の環境下で４８時間放置して、表面を顕微鏡にて観察したところ特に汚れは見られなかった。
【００１４】
（比較例１）
実施例と同じ表面に１００ｎｇ／ｃｍ２の塩素イオンが付着した幅１ｍ、厚さ１ｍｍの基材に電気伝導度１ｎｓ／ｍｍの純水を水量１００Ｌ／ｍｉｎにてスプレーノズルから噴霧洗浄しながら槽にため、上部からオーバーフローさせながら洗浄を行った。洗浄の終わったサンプルを超純水にて１００℃３０分抽出し、サンプル表面に残る塩素イオン量を測定したところ３０ｎｇ／ｃｍ２の塩素イオンが検出された。この洗浄後、基材を温度４０℃湿度９０％の環境下で４８時間放置して、表面を顕微鏡にて観察したところ表面に錆びが発生していた。
【００１５】
（比較例２）
実施例と同じ表面に１００ｎｇ／ｃｍ２の塩素イオンが付着した幅１ｍ、厚さ１ｍｍの基材に電気伝導度１ｎＳ／ｍｍの純水を水量１００Ｌ／ｍｉｎにてスプレーノズルから噴霧洗浄しながら槽にため、上部からオーバーフローさせながら行う洗浄を２回行った。洗浄の終わったサンプルを超純水にて１００℃３０分抽出し、サンプル表面に残る塩素イオン量を測定したところ１０ｎｇ／ｃｍ２の塩素イオンが検出された。この洗浄後、基材を温度４０℃湿度９０％の環境下で４８時間放置して、表面を顕微鏡にて観察したところ表面にしみが発生していた。
【００１６】
【発明の効果】
本発明のエレクトロニクス製品の製造方法及びそれに用いる洗浄装置は、最も効率良く、また、コストを考えながらクリーンに製品を洗浄することができる。また廃水も少なくなり環境対応にも優れるなど、実用上優れた効果が得られる。
【００１７】
【図面の簡単な説明】
【図１】本発明に係わる洗浄装置の説明図である。
【符号の説明】
１  長尺状のエレクトロニクス製品
２  ローラ
３  ドラム
４  洗浄液
５  スプレーノズル
【図１】
2004267891.tif 000003